(57)【特許請求の範囲】
【請求項１】
電話回線への送話信号に含まれる受話信号のエコーを抑圧し、このエコーを抑圧した送話信号を電話回線に伝送するエコーキャンセラであって、
電話回線からの受話信号を減衰する減衰手段と、この減衰手段にて減衰した受話信号を遅延する遅延手段と、この遅延手段にて遅延した受話信号を送話信号に加算する加算手段とを有する疑似エコー経路と、
前記電話回線からの受話信号と、この受話信号のエコーとに基づいて疑似エコー経路の伝達関数を推定し、この推定値と受話信号とに基づいて疑似エコーを生成し、前記疑似エコー経路を経由した送話信号から疑似エコーを差し引くことで、エコーを抑圧した送話信号を電話回線に伝送するエコーキャンセル回路とを有することを特徴とするエコーキャンセラ。
【請求項２】
電話回線の使用状態が通話中状態であるか否かを判定する通話判定手段と、
疑似エコー経路とエコーキャンセル回路とを切替接続する切替接続手段と、
前記通話判定手段にて電話回線の使用状態が通話中状態であると判定されると、前記エコーキャンセル回路を経由して送話信号を電話回線に伝送するように、疑似エコー経路とエコーキャンセル回路とを接続するように切替接続手段を制御する制御手段とを有することを特徴とする請求項１記載のエコーキャンセラ。
【請求項３】
電話回線への送話信号に含まれる受話信号のエコーを抑圧し、このエコーを抑圧した送話信号を電話回線に伝送するエコーキャンセラであって、
前記電話回線からの受話信号と、この受話信号のエコーとに基づいて疑似エコーを生成し、前記電話回線への送話信号から疑似エコーを差し引いて、エコーを抑圧した送話信号を電話回線に伝送するエコーキャンセル回路と、
電話回線の使用状態が通話中状態であるか否かを判定する通話判定手段と、
前記エコーキャンセル回路と電話回線とを切替接続する切替接続手段と、
前記通話判定手段にて電話回線の使用状態が通話中状態であると判定されると、前記エコーキャンセル回路を経由して送話信号を電話回線に伝送するように、エコーキャンセル回路と電話回線とを接続するように切替接続手段を制御する制御手段とを有することを特徴とするエコーキャンセラ。
【発明の詳細な説明】
【０００１】
【発明の属する技術分野】
本発明は、電話回線のアナログ２線／４線変換部で、インピーダンス不整合によって発生する受話信号のエコーを抑圧するエコーキャンセラに関するものである。
【０００２】
【従来の技術】
従来、このようなエコーキャンセラによれば、受話信号と、この受話信号のエコーとからエコー経路の伝達関数を推定し、この推定した伝達関数と受話信号とに基づいて疑似エコーを生成し、この疑似エコーを送話信号から差し引くことで、送話信号に含まれる受話信号のエコーを抑圧することができる。
【０００３】
また、前記エコー経路の伝達関数の推定に関しては、送話方向の信号が受話信号のエコーのみである場合にはエコー経路の伝達関数を推定することも可能であるが、送話方向の信号に受話信号のエコーと送話信号とが混在する場合にはエコー経路の伝達関数を推定することができない。
【０００４】
そこで、従来のエコーキャンセラにおいては、現在の状態が、送話信号と受話信号とが混在した状態、又は送話信号のみの状態等といったダブルトーク状態であるか否かを判定し、現在の状態がダブルトーク状態であれば、エコー経路の伝達関数の推定動作を停止するような構成にしてある。
【０００５】
図５は、このような従来のエコーキャンセラを採用したエコーキャンセラシステム内部の概略構成を示すブロック図である。
【０００６】
図５に示すエコーキャンセラシステム１００は、アナログ２線電話機１０１と、アナログ４線電話機１０２と、エコーキャンセラ１０３を備えた伝送装置１０４と、この伝送装置１０４を介して、これらアナログ２線電話機１０１、アナログ４線電話機１０２と電話回線１０５とを交換接続する交換機１０６とを有している。
【０００７】
この交換機１０６内部には、前記アナログ２線電話機１０１と接続して送受話信号における２線／４線の相互変換を行う２線／４線変換部１０７と、これら２線／４線変換部１０７及びアナログ４線電話機１０２と伝送装置１０４とを切替接続する交換スイッチ１０８と、前記アナログ２線電話機１０１及びアナログ４線電話機１０２から得るＰＢ信号を回線側交換機に送信するＰＢ信号送信器１０９とを有している。
【０００８】
前記エコーキャンセラ１０３内部には、これらアナログ２線電話機１０２からの送話信号に含まれる受話信号のエコーを抑圧するエコーキャンセル回路１１０を有している。
【０００９】
このようなエコーキャンセラシステム１００によれば、前記エコーキャンセル回路１１０にて、アナログ２線電話機１０１の受話信号と、この受話信号のエコーとからエコー経路の伝達関数を推定し、この推定した伝達関数と受話信号とに基づいて疑似エコーを生成し、この疑似エコーを送話信号から差し引くことで受話信号のエコーを抑圧することができる。
【００１０】
【発明が解決しようとする課題】
しかしながら、上記従来のエコーキャンセラ１０３によれば、現在の状態がダブルトーク状態であると判断すると、エコー経路の伝達関数の推定動作を停止するような構成としているのであるが、送話信号と受話信号とが似たような周波数成分を有する場合には、ダブルトーク状態であるにもかかわらず、ダブルトーク状態でないと誤判断してしまうおそれがあり、このようなダブルトーク状態でエコー経路の伝達関数を推定すると、この推定値が乱れてしまって、送話信号の音声品質が劣化してしまうことになる。
【００１１】
このようなエコーキャンセラ１０３においては、エコー経路を有する電話回線に適用した場合には、現在の状態がダブルトーク状態であるにもかかわらず、ダブルトーク状態でないと誤判断して、このエコー経路の伝達関数を推定したとしても、送話信号の音声品質劣化による影響も少なくて済む。
【００１２】
しかしながら、エコー経路のない電話回線に適用した場合には、現在の状態がダブルトーク状態であるにも関わらず、ダブルトーク状態でないと誤判断して、存在しないはずのエコー経路の伝達関数を推定してしまって疑似エコーを生成し、この疑似エコーを送話信号から差し引いてしまうので、送話信号の音声品質劣化に多大な影響を及ぼすおそれがある。
【００１３】
また、電話回線の種類の中には、アナログ４線式回線、ディジタル電話回線等のようにエコーを発生しないものもあり、このようにエコーを発生しない電話回線においてはエコーキャンセラは不必要である。
【００１４】
しかしながら、通常、エコーキャンセラ１０３を備えた伝送装置１０４側では、交換機１０６に接続している電話回線１０５の種別がエコーを発生する電話回線であるか否かを判断することはできない。
【００１５】
つまり、このような従来のエコーキャンセラ１０３によれば、エコー経路のない電話回線に適用され、しかもダブルトーク状態であるにも関わらず、ダブルトーク状態でないと誤判断して、存在するはずのないエコー経路の伝達関数における推定動作を行って疑似エコーを生成し、この疑似エコーを送話信号から差し引くと、この送話信号に耳障りな異音が付加されたり、この送話信号が無音になってしまう等、送話信号の音声品質が劣化してしまうといった第１の問題点があった。
【００１６】
また、通常、アナログ２線電話機１０１から回線側電話機に対して発呼する場合には、このアナログ２線電話機１０１の発呼者は、この電話機１０１をオフフックすると、回線側交換機からのダイヤルトーンを得る。そして、発呼者は回線側電話機のダイヤル番号を押下する。このダイヤル信号方式がＰＢ方式の場合、発呼者側のアナログ２線電話機１０１は、このダイヤル番号であるＰＢ信号を交換機１０６に送信する。この交換機１０６は、このＰＢ信号を一度蓄積し、この交換機１０６内のＰＢ信号送信器１０９から伝送装置１０４を経由して回線側交換機にＰＢ信号を送信するものである。
【００１７】
しかしながら、上記従来のエコーキャンセラ１０３によれば、アナログ２線電話機１０１から回線側電話機に発呼する場合に、このアナログ２線電話機によるＰＢ信号発信器１０９からＰＢ信号を送信するタイミングではエコー経路は存在せず、エコーキャンセラ１０３から見た場合には、受話信号がダイヤルトーン、送話信号がＰＢ信号のダブルトーク状態となるのであるが、仮にダブルトーク状態であるにも関わらず、エコーキャンセラ１０３にてダブルトーク状態でないと誤判断された場合には、存在しないはずのエコー経路の伝達関数の推定を行って疑似エコーを生成し、この疑似エコーを送話信号から差し引いてしまうので、交換機間でダイヤル情報を伝送するためのＰＢ信号が劣化して、ダイヤル情報の不伝達による誤接続又は不接続を引き起こしてしまうといった第２の問題点があった。
【００１８】
本発明は、上記第１の問題点に鑑みてなされたものであり、その第１の目的とするところは、エコー経路のない電話回線に適用され、しかもダブルトーク状態になったとしても、送話信号の音声品質劣化を確実に改善することができるエコーキャンセラを提供することにある。
【００１９】
本発明は、上記第２の問題点に鑑みてなされたものであり、その第２の目的とするところは、仮にダブルトーク状態に使用されたとしても、ＰＢ信号の信号品質劣化を確実に防止することができるエコーキャンセラを提供することにある。
【００２０】
【課題を解決するための手段】
上記第１の目的を達成するために本発明のエコーキャンセラは、電話回線への送話信号に含まれる受話信号のエコーを抑圧し、このエコーを抑圧した送話信号を電話回線に伝送するエコーキャンセラであって、電話回線からの受話信号を減衰する減衰手段と、この減衰手段にて減衰した受話信号を遅延する遅延手段と、この遅延手段にて遅延した受話信号を送話信号に加算する加算手段とを有する疑似エコー経路と、前記電話回線からの受話信号と、この受話信号のエコーとに基づいて疑似エコー経路の伝達関数を推定し、この推定値と受話信号とに基づいて疑似エコーを生成し、前記疑似エコー経路を経由した送話信号から疑似エコーを差し引くことで、エコーを抑圧した送話信号を電話回線に伝送するエコーキャンセル回路とを有するものである。
【００２１】
従って、本発明のエコーキャンセラによれば、疑似エコーを有し、電話回線からの受話信号及び受話信号のエコーに基づいて疑似エコー経路の伝達関数を推定し、この推定値と受話信号とに基づいて疑似エコーを生成し、この疑似エコーを送話信号から差し引くようにしたので、エコー経路のない電話回線に適用され、しかもダブルトーク状態になったとしても、疑似エコー経路が常に存在するためにダブルトーク誤判断による疑似エコー経路の伝達関数の推定値が大きく乱れるといったことはなく、この送話信号の音声品質劣化を確実に改善することができる。
【００２２】
また、上記第２の目的を達成するために本発明のエコーキャンセラは、電話回線への送話信号に含まれる受話信号のエコーを抑圧し、このエコーを抑圧した送話信号を電話回線に伝送するエコーキャンセラであって、前記電話回線からの受話信号と、この受話信号のエコーとに基づいて疑似エコーを生成し、前記電話回線への送話信号から疑似エコーを差し引いて、エコーを抑圧した送話信号を電話回線に伝送するエコーキャンセル回路と、電話回線の使用状態が通話中状態であるか否かを判定する通話判定手段と、前記エコーキャンセル回路と電話回線とを切替接続する切替接続手段と、前記通話判定手段にて電話回線の使用状態が通話中状態であると判定されると、前記エコーキャンセル回路を経由して送話信号を電話回線に伝送するように、エコーキャンセル回路と電話回線とを接続するように切替接続手段を制御する制御手段とを有するものである。
【００２３】
従って、本発明のエコーキャンセラによれば、電話回線の使用状態が通話中状態であると判定されると、エコーキャンセル回路と電話回線とを接続してエコーキャンセル回路を経由して電話回線に送話信号を伝送するようにした、つまり発呼時においてはエコーキャンセル回路を経由することなく電話回線に送話信号であるＰＢ信号を伝送するようにしたので、エコーキャンセル回路がＰＢ信号の信号品質を劣化させてしまうような事態を確実に防止することができる。
【００２４】
【発明の実施の形態】
本発明における請求項１記載のエコーキャンセラは、電話回線への送話信号に含まれる受話信号のエコーを抑圧し、このエコーを抑圧した送話信号を電話回線に伝送するエコーキャンセラであって、電話回線からの受話信号を減衰する減衰手段と、この減衰手段にて減衰した受話信号を遅延する遅延手段と、この遅延手段にて遅延した受話信号を送話信号に加算する加算手段とを有する疑似エコー経路と、前記電話回線からの受話信号と、この受話信号のエコーとに基づいて疑似エコー経路の伝達関数を推定し、この推定値と受話信号とに基づいて疑似エコーを生成し、前記疑似エコー経路を経由した送話信号から疑似エコーを差し引くことで、エコーを抑圧した送話信号を電話回線に伝送するエコーキャンセル回路とを有することを特徴とする。
【００２５】
前記疑似エコー経路は、電話回線からの受話信号を減衰する減衰手段と、この減衰手段にて減衰した受話信号を遅延する遅延手段と、この遅延手段にて遅延した受話信号を送話信号に加算する加算手段とを有し、疑似的に設けたエコー経路であり、ダブルトーク状態であるにもかかわらず、ダブルトーク状態でないと誤判断されたとしても、エコーキャンセル回路が疑似エコー経路の伝達関数の推定動作を行うものである。
【００２６】
このエコーキャンセル回路は、前記電話回線からの受話信号と、この受話信号のエコーとに基づいて疑似エコー経路の伝達関数を推定し、この推定値と受話信号とに基づいて疑似エコーを生成し、この疑似エコーを送話信号から差し引くことで、エコーを抑圧した送話信号を電話回線に伝送するようにしたものである。
【００２７】
従って、本発明における請求項１記載のエコーキャンセラによれば、疑似エコーを有し、電話回線からの受話信号及び受話信号のエコーに基づいて疑似エコー経路の伝達関数を推定し、この推定値と受話信号とに基づいて疑似エコーを生成し、この疑似エコーを送話信号から差し引くようにしたので、エコー経路のない電話回線に適用され、しかもダブルトーク状態になったとしても、疑似エコー経路が常に存在するためにダブルトーク誤判断による疑似エコー経路の伝達関数の推定値が大きく乱れるといったことはなく、この送話信号の音声品質劣化を確実に防止することができる。
【００２８】
また、本発明における請求項２記載のエコーキャンセラは、上記請求項１記載のエコーキャンセラの構成に加えて、電話回線の使用状態が通話中状態であるか否かを判定する通話判定手段と、疑似エコー経路とエコーキャンセル回路とを切替接続する切替接続手段と、前記通話判定手段にて電話回線の使用状態が通話中状態であると判定されると、前記エコーキャンセル回路を経由して送話信号を電話回線に伝送するように、疑似エコー経路とエコーキャンセル回路とを接続するように切替接続手段を制御する制御手段とを有することを特徴とする。
【００２９】
前記通話判定手段は、電話回線の使用状態を監視する、例えば交換機からのＳＳと電話回線からのＳＲとの各状態に基づいて、その電話回線の使用状態が通話中状態であるか否かを判定するものである。
【００３０】
前記切替接続手段は、疑似エコー経路とエコーキャンセル回路とを切替接続するスイッチに相当するものであり、エコーキャンセル回路を経由して電話回線に送話信号を伝送したり、エコーキャンセル回路を経由することなく、電話回線に送話信号を伝送したりするものである。
【００３１】
前記制御手段は、前記通話判定手段の判定結果に基づいて、前記疑似エコー経路及びエコーキャンセル回路間の切替接続手段を制御するものであり、例えば通話判定手段にて電話回線の使用状態が通話中状態であると判定されると、疑似エコー経路とエコーキャンセル回路とを接続してエコーキャンセル回路を経由して電話回線に送話信号を伝送するように切替接続手段を制御するものである。
【００３２】
従って、本発明における請求項２記載のエコーキャンセラによれば、上記請求項１記載のエコーキャンセラの効果に加えて、電話回線の使用状態が通話中であると判定されると、疑似エコー経路とエコーキャンセル回路とを接続してエコーキャンセル回路を経由して電話回線に送話信号を伝送するようにした、つまり、電話回線の使用状態が通話中でない発呼時においては、エコーキャンセル回路を経由することなく、送話信号であるＰＢ信号を電話回線に伝送するようにしたので、このエコーキャンセル回路がＰＢ信号の信号品質を劣化させてしまうような事態を確実に防止することができる。
【００３３】
また、本発明における請求項３記載のエコーキャンセラは、電話回線への送話信号に含まれる受話信号のエコーを抑圧し、このエコーを抑圧した送話信号を電話回線に伝送するエコーキャンセラであって、前記電話回線からの受話信号と、この受話信号のエコーとに基づいて疑似エコーを生成し、前記電話回線への送話信号から疑似エコーを差し引いて、エコーを抑圧した送話信号を電話回線に伝送するエコーキャンセル回路と、電話回線の使用状態が通話中状態であるか否かを判定する通話判定手段と、前記エコーキャンセル回路と電話回線とを切替接続する切替接続手段と、前記通話判定手段にて電話回線の使用状態が通話中状態であると判定されると、前記エコーキャンセル回路を経由して送話信号を電話回線に伝送するように、エコーキャンセル回路と電話回線とを接続するように切替接続手段を制御する制御手段とを有することを特徴とする。
【００３４】
尚、請求項１及び２記載のエコーキャンセラと重複するものには、その構成及び動作の説明を省略する。
【００３５】
前記切替接続手段は、エコーキャンセル回路と電話回線を切替接続するスイッチに相当するものであり、エコーキャンセル回路を経由して電話回線に送話信号を伝送したり、エコーキャンセル回路を経由することなく、電話回線に送話信号を伝送したりするものである。
【００３６】
前記制御手段は、前記通話判定手段の判定結果に基づいて、前記エコーキャンセル回路及び電話回線間の切替接続手段を制御するものであり、例えば通話判定手段にて電話回線の使用状態が通話中状態であると判定されると、エコーキャンセル回路と電話回線とを接続してエコーキャンセル回路を経由して電話回線に送話信号を伝送するように切替接続手段を制御するものである。
【００３７】
従って、本発明における請求項３記載のエコーキャンセラによれば、電話回線の使用状態が通話中であると判定されると、エコーキャンセル回路と電話回線とを接続してエコーキャンセル回路を経由して電話回線に送話信号を伝送するようにした、つまり電話回線の使用状態が通話中でない発呼時においては、エコーキャンセル回路を経由することなく、送話信号であるＰＢ信号を電話回線に伝送するようにしたので、このエコーキャンセル回路がＰＢ信号の信号品質を劣化させてしまうような事態を確実に防止することができる。
【００３８】
以下、図面に基づいて本発明のエコーキャンセラの実施の形態に示すエコーキャンセラシステムについて説明する。
【００３９】
（実施の形態１）
図１は第１の実施の形態に示すエコーキャンセラシステム内部の概略構成を示すブロック図である。図２は第１の実施の形態に示すエコーキャンセラシステムの要部であるエコーキャンセラ内部の概略構成を示すブロック図である。
【００４０】
図１に示すエコーキャンセラシステム１は、アナログ２線電話機２と、アナログ４線電話機３と、エコーキャンセラ４を備えた伝送装置５と、この伝送装置５を介して、これらアナログ２線電話機２、アナログ４線電話機３と電話回線６とを交換接続する交換機７とを有している。
【００４１】
この交換機７内部には、前記アナログ２線電話機２と接続して送受話信号における２線／４線の相互変換を行う２線／４線変換部８と、これら２線／４線変換部８及びアナログ４線電話機３と伝送装置５とを切替接続する交換スイッチ９と、前記アナログ２線電話機２及びアナログ４線電話機３から得るＰＢ信号を回線側交換機に送信するＰＢ信号送信器１０とを有している。
【００４２】
前記伝送装置５内部のエコーキャンセラ４には、図２に示すように、電話回線６と接続して受話信号を入力する受話信号入力端子４ａと、前記交換機７と接続して受話信号を出力する受話信号出力端子４ｂと、前記交換機７と接続して送話信号を入力する送話信号入力端子４ｃと、前記電話回線６と接続して送話信号を出力する送話信号出力端子４ｄと、受話信号入力端子４ａから得られる受話信号を減衰し、この減衰した受話信号を遅延し、この遅延した受話信号を送話信号に加算するための疑似エコー経路１１と、この疑似エコー経路１１を経由した送話信号からエコーを抑圧し、このエコーを抑圧した送話信号を電話回線６に伝送するエコーキャンセル回路１２とを有している。
【００４３】
前記エコーキャンセル回路１２は、電話回線６から得られる受話信号と、この受話信号のエコーとに基づいて疑似エコー経路１１の伝達関数を推定し、この推定値と受話信号とに基づいて疑似エコーを生成し、この疑似エコーを疑似エコー経路１１を経由した送話信号から差し引くことで、エコーを抑圧した送話信号を電話回線６に伝送するものである。
【００４４】
次に、この第１の実施の形態に示すエコーキャンセラシステム１の動作について説明する。
【００４５】
例えば交換機７がアナログ４線電話機３と伝送装置５とを接続した場合、エコーキャンセル回路１２は疑似エコー経路１１の伝達関数を推定する。エコーキャンセル回路１２は、ダブルトーク状態であるにも関わらず、ダブルトーク状態でないと誤判断したとしても、疑似エコー経路１１が存在するので送話信号の音声品質への影響も少なくて済む。
【００４６】
また、交換機７がアナログ２線電話機２と伝送装置５とを接続した場合、エコーキャンセル回路１２は、エコー経路である２線／４線変換部８と疑似エコー経路１１との間の伝達関数を推定する。エコーキャンセル回路１２は、ダブルトーク状態であるにもかかわらず、ダブルトーク状態でないと誤判断したとしても、疑似エコー経路１１が存在するので送話信号の音声品質への影響は少ない。
【００４７】
第１の実施の形態によれば、疑似エコー経路１１を有し、エコーキャンセル回路１２が電話回線６からの受話信号及び受話信号のエコーに基づいて疑似エコー経路１１の伝達関数を推定し、この推定値と受話信号とに基づいて疑似エコーを生成し、この疑似エコーを送話信号から差し引くようにしたので、エコー経路のない電話回線６に適用され、しかもダブルトーク状態になったとしても、疑似エコー経路１１が常に存在するためにダブルトーク誤判断による疑似エコー経路１１の伝達関数の推定値が大きく乱れるといったことはなく、この送話信号の音声品質劣化を確実に改善することができる。
【００４８】
（実施の形態２）
では、次に第２の実施の形態に示すエコーキャンセラシステムについて説明する。図３は第２の実施の形態に示すエコーキャンセラシステム内部の概略構成を示すブロック図である。図４は第２の実施の形態の要部であるエコーキャンセラ内部の概略構成を示すブロック図である。
【００４９】
尚、図１に示すエコーキャンセラシステム１と重複するものには、同一符号を付すと共に、その構成及び動作の説明については省略する。
【００５０】
図３に示すエコーキャンセラシステム２０の特徴とするところは、エコーキャンセラ２１内部に疑似エコー経路１１を設けるのでなく、電話回線６及び交換機７から得られる電話回線６の使用状態に応じてエコーキャンセル回路１２と電話回線６とを切替接続するスイッチ２２を有することにある。
【００５１】
この第２の実施の形態に示すエコーキャンセラシステム２０の動作について説明する。
【００５２】
例えばアナログ２線電話機２から相手側電話機に発呼する場合には、アナログ２線電話機２がオフフックすると、このアナログ２線電話機２は相手側交換機からのダイヤルトーンを得る。この状態でアナログ２線電話機２の発呼者は相手側電話機のダイヤル番号を押下する。このダイヤル信号方式がＰＢ方式の場合には、アナログ２線電話機２は、押下されたＰＢ信号を交換機７に送信する。交換機７は、このＰＢ信号を一時蓄積すると共に、このＰＢ信号をＰＢ信号送信器１０を介して伝送装置５に送信する。
【００５３】
また、前記スイッチ２２は、相手側電話機が応答又はオフフックするまでは交換機７からのＳＳ及び電話回線６からのＳＲともにメーク状態とはならないので、相手側電話機が応答するまでの間、ａ端子側に接続することになる。このスイッチ２２がａ端子側になった場合には、前記送話信号入力端子４ｃから得られる送話信号はエコーキャンセル回路１２を経由することなく、相手側電話機の電話回線に伝送する。この際、エコーキャンセル回路１２は、相手側電話機が応答又はオフフックするまで、つまり電話回線６の使用状態が通話中状態となるまで、送話信号の音声品質の影響を及ぼすことはない。
【００５４】
また、相手側電話機が応答又はオフフックすると、交換機７からのＳＳ及び電話回線６からのＳＲが共にメーク状態となるので、スイッチ２２はｂ端子側に接続することになる。
【００５５】
このスイッチ２２がｂ端子側になった場合には、前記送話信号入力端子４ｃから得られる送話信号はエコーキャンセル回路１２を経由して相手側電話機の電話回線に伝送する。この際、エコーキャンセル回路１２は、相手側電話機が応答又はオフフックしたことにより、電話回線６の使用状態が通話中状態となることにより、送話信号に含まれる受話信号のエコーを抑圧することになる。
【００５６】
第２の実施の形態によれば、電話回線６の使用状態が通話中であると判定されると、エコーキャンセル回路１２と電話回線６とを接続してエコーキャンセル回路１２を経由して電話回線６に送話信号を伝送するようにした、つまり電話回線６の使用状態が通話中でない発呼時においては、エコーキャンセル回路１２を経由することなく、送話信号であるＰＢ信号を電話回線６に伝送するようにしたので、このエコーキャンセル回路１２がＰＢ信号の信号品質に影響を与えることはなく、ＰＢ信号品質劣化による不接続、誤接続等といった問題を回避することができる。
【００５７】
【発明の効果】
上記のように構成された本発明における請求項１記載のエコーキャンセラによれば、疑似エコーを有し、電話回線からの受話信号及び受話信号のエコーに基づいて疑似エコー経路の伝達関数を推定し、この推定値と受話信号とに基づいて疑似エコーを生成し、この疑似エコーを送話信号から差し引くようにしたので、エコー経路のない電話回線に適用され、しかもダブルトーク状態になったとしても、疑似エコー経路が常に存在するためにダブルトーク誤判断による疑似エコー経路の伝達関数の推定値が大きく乱れるといったことはなく、この送話信号の音声品質劣化を確実に改善することができる。
【００５８】
また、本発明における請求項２記載のエコーキャンセラによれば、電話回線の使用状態が通話中であると判定されると、疑似エコー経路とエコーキャンセル回路とを接続してエコーキャンセル回路を経由して電話回線に送話信号を伝送するようにした、つまり、電話回線の使用状態が通話中でない発呼時においては、エコーキャンセル回路を経由することなく、送話信号であるＰＢ信号を電話回線に伝送するようにしたので、このエコーキャンセル回路がＰＢ信号の信号品質を劣化させてしまうような事態を確実に防止することができる。
【００５９】
また、本発明における請求項３記載のエコーキャンセラによれば、電話回線の使用状態が通話中であると判定されると、エコーキャンセル回路と電話回線とを接続してエコーキャンセル回路を経由して電話回線に送話信号を伝送するようにした、つまり電話回線の使用状態が通話中でない発呼時においては、エコーキャンセル回路を経由することなく、送話信号であるＰＢ信号を電話回線に伝送するようにしたので、このエコーキャンセル回路がＰＢ信号の信号品質を劣化させてしまうような事態を確実に防止することができる。
【図面の簡単な説明】
【図１】本発明のエコーキャンセラにおける第１の実施の形態に示すエコーキャンセラシステム内部の概略構成を示すブロック図
【図２】第１の実施の形態の要部であるエコーキャンセラ内部の概略構成を示すブロック図
【図３】本発明のエコーキャンセラにおける第２の実施の形態に示すエコーキャンセラシステム内部の概略構成を示すブロック図
【図４】第２の実施の形態の要部であるエコーキャンセラ内部の概略構成を示すブロック図
【図５】従来のエコーキャンセラを示すエコーキャンセラシステム内部の概略構成を示すブロック図
【符号の説明】
１    エコーキャンセラシステム
４    エコーキャンセラ
６    電話回線
１１  疑似エコー経路（減衰手段、遅延手段、加算手段）
１２  エコーキャンセル回路
２１  エコーキャンセラ
２２  スイッチ（切替接続手段）
【図１】
0003710606.tif 000002
【図２】
0003710606.tif 000003
【図３】
0003710606.tif 000004
【図４】
0003710606.tif 000005
【図５】
0003710606.tif 000006